【手続補正書】
【提出日】平成15年12月17日(2003.12.17)
【手続補正１】
【補正対象書類名】明細書
【補正対象項目名】発明の名称
【補正方法】変更
【補正の内容】
【発明の名称】容器詰飲料


【手続補正２】
【補正対象書類名】明細書
【補正対象項目名】特許請求の範囲
【補正方法】変更
【補正の内容】
【特許請求の範囲】
【請求項１】
飲料が詰められた容器本体に、指掛部の引き起こし操作により押圧部を容器本体に押圧して容器本体の一部を破断することにより開封する開封体が設けられた容器詰飲料において、前記容器本体内に、風味添加剤が詰められている風味袋が付設されており、前記開封体は、前記容器本体を開封したときの破断片を撚って前記風味袋を破るようにしていることを特徴とする容器詰飲料。
【請求項２】
飲料が詰められた容器本体に、略Ｖ字状の折り目から内側へ折り曲げられる一対の折曲片及びこれら折曲片間にあって容器本体と反対側先端部が互いに接合される一対の接合部を有しており、これら接合部の非先端部の押圧により前記折曲片を容器本体の外側へ突出させて開封する開封体が設けられた容器詰飲料において、前記折曲片の内側に、前記接合部の非先端部の押圧により破れる風味袋が付設されていることを特徴とする容器詰飲料。
【手続補正３】
【補正対象書類名】明細書
【補正対象項目名】０００５
【補正方法】変更
【補正の内容】
【０００５】
【課題を解決するための手段】
第１発明に係る容器詰飲料は、飲料が詰められた容器本体に、指掛部の引き起こし操作により押圧部を容器本体に押圧して容器本体の一部を破断することにより開封する開封体が設けられた容器詰飲料において、前記容器本体内に、風味添加剤が詰められている風味袋が付設されており、前記開封体は、前記容器本体を開封したときの破断片を撚って前記風味袋を破るようにしていることを特徴とする。
【手続補正４】
【補正対象書類名】明細書
【補正対象項目名】０００６
【補正方法】変更
【補正の内容】
【０００６】
この第１発明にあっては、容器本体を開封するための開封体の指掛部を引き起こし操作することにより容器本体を開封することができ、しかも、この開封したときの破断片を撚ることにより容器本体内の風味袋を破ることができる。このため、容器詰飲料を自己が購入する場合においても、また、第３者から買い与えられる場合においても、前記風味袋を破ることにより飲料の風味を、時々の自己の嗜好にあう風味に変えることができる。


【手続補正５】
【補正対象書類名】明細書
【補正対象項目名】０００７
【補正方法】変更
【補正の内容】
【０００７】
第２発明に係る容器詰飲料は、飲料が詰められた容器本体に、略Ｖ字状の折り目から内側へ折り曲げられる一対の折曲片及びこれら折曲片間にあって容器本体と反対側先端部が互いに接合される一対の接合部を有しており、これら接合部の非先端部の押圧により前記折曲片を容器本体の外側へ突出させて開封する開封体が設けられた容器詰飲料において、前記折曲片の内側に、前記接合部の非先端部の押圧により破れる風味袋が付設されていることを特徴とする。
【手続補正６】
【補正対象書類名】明細書
【補正対象項目名】０００８
【補正方法】変更
【補正の内容】
【０００８】
この第２発明にあっては、容器本体を開封するための開封体の接合部の非先端部を互いに押圧することにより容器本体内の風味袋を破ることができる。このため、容器詰飲料を自己が購入する場合においても、また、第３者から買い与えられる場合においても、前記風味袋を破ることにより飲料の風味を、時々の自己の嗜好にあう風味に変えることができる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
【発明の実施の形態】
以下本発明をその実施の形態を示す図面に基づき具体的に説明する。
図１は缶コーヒー・缶紅茶・缶ジュースなどの飲料が詰められた容器詰飲料の縦断面図、図２は平面図、図３は容器本体の開封により風味袋を破るときの説明図である。飲料容器は、一端部に底蓋１１を他端部に天蓋１２を夫々有するスチールまたはアルミニウム製の容器本体１の前記天蓋１２に開封体２が設けられている。そして、この飲料容器１内にコーヒー・紅茶・ジュースなどの飲料を詰めたものが容器詰飲料である。


【手続補正９】
【補正対象書類名】明細書
【補正対象項目名】００１１
【補正方法】変更
【補正の内容】
【００１１】
開封体２は、リング状の指掛部２１及び該指掛部２１の一端側に連続する押圧部２２並びに該押圧部２２と指掛部２１との間にあって押圧部２２と連続し、前記天蓋１２にピン止めされる止着部２３とを有しており、指掛部２１に人差指または中指を引掛けて引き起こすことにより、天蓋１２の前記押圧部２２との対向部分が押圧されて、押圧部２２との対向側部分が略Ｃ字形に破断され、図３のように天蓋１２の破断片１２ａが容器本体１の内部に屈曲して開封されるように構成されている。


【手続補正１０】
【補正対象書類名】明細書
【補正対象項目名】００１２
【補正方法】変更
【補正の内容】
【００１２】
図１、図２に示すように容器本体１における天蓋１２の非開封部内面には、アルミ箔などの薄肉シートにより少なくとも一つの風味袋３を付設し、該風味袋３に、砂糖・ミルク・飲料の原材料などの風味用添加剤が詰められるようにしている。
この風味袋３は、例えば図３のように一側が開口する袋部３１及び該袋部３１の開口端に結合する蓋部３２とを備えている。
【手続補正１１】
【補正対象書類名】明細書
【補正対象項目名】００１３
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
前記天蓋１２の内面に付設された風味袋３は、前記天蓋１２の破断片１２ａを利用して破るのである。つまり、開封体２を前記したように操作して天蓋１２を略Ｃ字形に破断した後、開封体２を撚ることにより前記破断片１２ａを撚り、該破断片１２ａにより風味袋３を破るようにしている。


【手続補正１４】
【補正対象書類名】明細書
【補正対象項目名】００１７
【補正方法】変更
【補正の内容】
【００１７】
また、風味袋３は、一つである他、複数個であってもよい。
【手続補正１５】
【補正対象書類名】明細書
【補正対象項目名】００１８
【補正方法】変更
【補正の内容】
【００１８】
以上のように、容器本体１における天蓋１２の内面に容器本体１の外側から開封体２を撚ることにより破ることが可能とした風味袋３を設けているため、容器本体１内に詰められた飲料の風味が自己の嗜好にあう場合は、風味袋３を破ることなく開封体２により容器本体１を開封して飲むことができるのであり、また、時々の自己の嗜好にあわない風味である場合は、開封体２を撚って破断片１２ａを撚ることにより、該破断片１２ａが風味袋３を突き破って該風味袋３内の添加剤を容器本体１内に取り出すことができる。これにより、甘みを増した飲料又は濃い目の飲料に変えることができるのである。
以上の実施の形態では、缶を用いてなる容器詰飲料について説明したが、その他、樹脂容器・紙容器・アルミ容器を用いてなる容器詰飲料であってもよい。


【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
紙容器及びアルミ容器の場合、図４及び図５に示すように四角筒状部の一端部に底蓋が設けられた容器本体１の他端部に、略Ｖ字状の折り目から内側に折り曲げられる一対の折曲部２４，２４及び該折曲部２４，２４間にあって容器本体と反対側先端部が互いに接合される接合部２５，２５を有する開封体２が設けられている。この開封体２は、折曲部２４，２４を内側へ折り曲げた状態で接合部２５，２５の先端部を互いに接合することにより容器本体１を密閉にしている。そして、接合部２５，２５の一端側を図４矢印Ｘのように開いて、この接合部２５，２５の開放部分を図４矢印Ｙ方向へ押圧することにより、一方の折曲部２４を外向きにＶ字状に突出させて開封することができる。


【手続補正１８】
【補正対象書類名】明細書
【補正対象項目名】００２１
【補正方法】変更
【補正の内容】
【００２１】
このように開封可能とした開封体２における一方又は他方の折曲部２４の内面に、前記接合部２５，２５を図４矢印Ｆ方向へ押圧することにより破ることができる少なくとも一つの風味袋３を設けるのである。この風味袋３は、アルミ箔などの薄肉シートにより形成されている。この実施の形態においては、容器本体１を開封することなく、接合部２５，２５を図４矢印Ｆ方向へ押圧することにより、風味袋３を接合部２５，２５間に挟んで破ることができるのである。
【手続補正１９】
【補正対象書類名】明細書
【補正対象項目名】００２２
【補正方法】変更
【補正の内容】
【００２２】
【発明の効果】
第１発明に係る容器詰飲料によれば、容器本体を開封するための開封体の指掛部を引き起こし操作することにより容器本体を開封することができ、しかも、この開封したときの破断片を撚ることにより容器本体内の風味袋を破ることができるため、容器詰め飲料を自己が購入する場合においても、また、第３者から買い与えられる場合においても、前記風味袋を破ることにより飲料の風味を、時々の自己の嗜好にあう風味に変えることができる。


【手続補正２０】
【補正対象書類名】明細書
【補正対象項目名】００２３
【補正方法】変更
【補正の内容】
【００２３】
第２発明に係る容器詰飲料によれば、容器本体を開封するための開封体の接合部の非先端部を互いに押圧することにより容器本体内の風味袋を破ることができるため、容器詰飲料を自己が購入する場合においても、また、第３者から買い与えられる場合においても、前記風味袋を破ることにより飲料の風味を、時々の自己の嗜好にあう風味に変えることができる。
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】図面の簡単な説明
【補正方法】変更
【補正の内容】
【図面の簡単な説明】
【図１】本発明に係る容器詰飲料の縦断面図である。
【図２】同平面図である。
【図３】同容器本体の開封により風味袋を破るときの説明図である。
【図４】同紙容器及びアルミ容器を用いてなる容器詰飲料の断面図である。
【図５】図４における開封体部分を展開した説明図である。
【符号の説明】
１      容器本体
２      開封体
３      風味袋
１２ａ  破断片
２４    折曲部
２５    押圧部


【手続補正２５】
【補正対象書類名】図面
【補正対象項目名】図２
【補正方法】変更
【補正の内容】
【図２】
1998194352.tif 000001
【手続補正２６】
【補正対象書類名】図面
【補正対象項目名】図３
【補正方法】変更
【補正の内容】
【図３】
1998194352.tif 000002
【手続補正２７】
【補正対象書類名】図面
【補正対象項目名】図４
【補正方法】変更
【補正の内容】
【図４】
1998194352.tif 000003
【手続補正２８】
【補正対象書類名】図面
【補正対象項目名】図５
【補正方法】変更
【補正の内容】
【図５】
1998194352.tif 000004
【手続補正２９】
【補正対象書類名】図面
【補正対象項目名】図６
【補正方法】削除
【補正の内容】
【手続補正３０】
【補正対象書類名】図面
【補正対象項目名】図７
【補正方法】削除
【補正の内容】
【手続補正３１】
【補正対象書類名】図面
【補正対象項目名】図８
【補正方法】削除
【補正の内容】